(57)【特許請求の範囲】
【請求項１】
屋外に設置され電波による通信機能を用いて温水の温度と流量を制御する給湯暖房機と、この給湯暖房機から供給される温水を利用し居住空間の暖房を行なう床暖房パネルと、居住空間に設置され電波による通信機能を用いて居住者の暖房に対する要求情報を、前記給湯暖房機に送信する床暖房リモコンとを備え、前記給湯暖房機と床暖房リモコンとの間で電波による通信手段を介して交信し、居住空間からの要求情報を信号線を接続することなく屋外に設置した前記給湯暖房機に伝達するようにし、前記床暖房リモコンには、室温を検知する温度センサーと、居住者の暖房に対する要求を入力するスイッチと、居住者への情報を表示する表示器と、前記給湯暖房機との間で交信できる通信手段を備え、壁面等に取り付けられたリモコン取付器に着脱自在に設置可能で、かつ前記着脱が検知できる機能を付加され、床暖房リモコンが設置された場所における温度に基づいて要求情報を前記給湯暖房機に伝達するようにした床暖房装置。
【請求項２】
リモコン取付器に固定温度センサーを設け、床暖房リモコンに内蔵の温度センサーの情報と共に２つの温度データに基づいてガス給湯暖房機の温水制御信号を伝達する請求項１記載の床暖房装置。
【請求項３】
リモコン取付器に充電機能を付加し、床暖房リモコンがリモコン取付器に設置された状態において充電状態となる請求項１または請求項２記載の床暖房装置。
【発明の詳細な説明】
【０００１】
【発明の属する技術分野】
本発明は、ガス燃焼によりつくられた温水を用いて居住空間の床面を暖房する床暖房装置の、特に居住者に対し快適な暖房を提供するための制御システムに関するものである。
【０００２】
【従来の技術】
従来、この種の床暖房装置は、図５に示されているようにガス給湯暖房機１に温水搬送用の往き配管２ａと戻り配管２ｂにより配管される、居住空間の床に設置された床暖房パネル３が温水回路を構成する。
【０００３】
さらに壁面に取り付けられた床暖房リモコン４が室温測定用の温度センサー４ａを持ち、信号線５によってガス給湯暖房機１と電気的に接続される構成になっている。
【０００４】
床暖房リモコン４が居住者の要求する室温と温度センサー４ａが検出する室温より床暖房パネル３に送られる温水の制御信号を信号線５によりガス給湯暖房機１に通信し、ガス給湯暖房機１はその通信内容に従って床暖房パネル３への温水の温度や流量を制御するようになっていた。
【０００５】
【発明が解決しようとする課題】
しかしながら、従来の床暖房装置では、給湯暖房機１と床暖房リモコン４は信号線５により接続されなければならないため、一度設置された床暖房リモコン４を利用しやすい位置に移動するには、信号線５の敷設の施工のやり直しが必要であり、美観や費用の点から制約を受けるという課題を有していた。
【０００６】
そして、この課題は床暖房リモコン４にある室温検出用の温度センサー４ａを居住区間内で移動させ、経験的に最適な位置に移動させにくいという課題も有している。
【０００７】
また床暖房リモコン４は壁面に固定されるために、居住者が暖房の調整のためには床暖房リモコン４の位置まで移動しなければならないという課題を有していた。
【０００８】
さらに床暖房リモコン４は壁面に固定されるために、温度センサー４ａは室温測定を行うため直接の熱源であり、人体に直接接触している床面あるいは床面近傍の温度検知ができないという課題を有していた。
【０００９】
【課題を解決するための手段】
本発明は、上記課題を解決するために、屋外に設置され電波による通信機能を用いて温水の温度と流量を制御する給湯暖房機と、この給湯暖房機から供給される温水を利用し居住空間の暖房を行なう床暖房パネルと、居住空間に設置され電波による通信機能を用いて居住者の暖房に対する要求情報を、前記給湯暖房機に送信する床暖房リモコンとを備え、前記給湯暖房機と床暖房リモコンとの間で電波による通信手段を介して交信し、居住空間からの要求情報を信号線を接続することなく屋外に設置した給湯暖房機に伝達するようにし、前記床暖房リモコンには、室温を検知する温度センサーと、居住者の暖房に対する要求を入力するスイッチと、居住者への情報を表示する表示器と、前記給湯暖房機との間で交信できる通信手段を備え、壁面等に取り付けられたリモコン取付器に着脱自在に設置可能で、かつ前記着脱を検知できる機能が付加され、床暖房リモコンが設置された場所における温度に基づいて要求情報を前記給湯暖房機に伝達するようにした床暖房装置である。
【００１０】
上記発明によれば、信号線の役目を電波に置き換えることで信号線を廃止する事ができ、これにより床暖房リモコンを居住空間の壁面上の自由な位置に設置する事ができる。さらに温度センサーの位置も居住空間の壁面上の自由な位置に設置する事ができるだけでなく、床面または床面近傍の温度制御の必要な部分に置くことで居住者に最適な温度制御が可能になり、かつリモコン取付器からの着脱検知機能により、壁面での温度検出でないことを検出ができており、壁面温度との誤検知が防止できる。
【００１１】
【発明の実施の形態】
本発明は、屋外に設置され電波による通信機能を用いて温水の温度と流量を制御する給湯暖房機と、この給湯暖房機から供給される温水を利用し居住空間の暖房を行なう床暖房パネルと、居住空間に設置され電波による通信機能を用いて居住者の暖房に対する要求情報を、前記給湯暖房機に送信する床暖房リモコンとを備え、前記給湯暖房機と床暖房リモコンとの間で電波による通信手段を介して交信し、居住空間からの要求情報を信号線を接続することなく屋外に設置した給湯暖房機に伝達するようにし、前記床暖房リモコンには、室温を検知する温度センサーと、居住者の暖房に対する要求を入力するスイッチと、居住者への情報を表示する表示器と、前記給湯暖房機との間で交信できる通信手段を備え、壁面等に取り付けられたリモコン取付器に着脱自在に設置可能で、かつ前記着脱を検知できる機能が付加され、床暖房リモコンが設置された場所における温度に基づいて要求情報を前記給湯暖房機に伝達するようにした床暖房装置である。この発明によれば、電波による通信機能で前記給湯暖房機と床暖房リモコンが接続されることで信号線を廃止することができ、これにより床暖房リモコンを居住空間の壁面上の自由な位置に設置することができる。さらに、室内温度を検知する温度センサーの位置も居住空間の壁面上の自由な位置に設置することができる。
【００１２】
さらに、このシステムで床暖房リモコンが着脱可能な床暖房リモコンのリモコン取り付け器と、このリモコン取り付け器との着脱を検知できる機能を付加された床暖房リモコンとを有する床暖房装置である。これにより床暖房リモコンをリモコン取り付け器から取り外して居住者の手元で操作することが可能となる。さらに床暖房リモコンを居住者が床面または床面近傍の温度制御の必要な部分に置くことにより、この温度を温度センサーが検知する事で居住者に最適な温度制御を提供できる。
【００１３】
このとき床暖房リモコンはリモコン取り付け器からの着脱を検出することで壁面での温度検出かそれ以外の場所での温度かの検出ができ壁面温度との誤検知が無くなり、より最適な温度制御を提供できる。
【００１４】
さらに、このシステムで温度センサーを有し、床暖房リモコンとの間で無線による通信機能を付加された床暖房リモコンが着脱可能な床暖房リモコンのリモコン取り付け器を有する床暖房装置である。これにより床暖房リモコンを壁取り付け器から取り外したときには、壁面の室温をリモコン取り付け器の固定温度センサーが測定し、その情報を床暖房リモコンへ無線通信により通信することで床暖房リモコンは、室温と床面あるいは床面近傍の温度の空間的に離れた二つの温度データを有することが可能となる。
【００１５】
さらに、このシステムでＡＣ１００Ｖ電源を利用し自らの動作及び床暖房リモコンへの電源供給機能を付加された床暖房リモコンが着脱可能な床暖房リモコンのリモコン取り付け器とこのリモコン取り付け器に取り付けられているときにリモコン取り付け器より電源供給を受け動作するとともにリモコン取り付け器より取り外されているときの動作用蓄電機能を付加された床暖房リモコンを有する床暖房装置である。これにより床暖房リモコンの電源が減少時や床暖房リモコンの不使用時に、床暖房リモコンをリモコン取り付け器に取り付けておくことにより、電源不足により床暖房リモコンが使用できないという状態をなくす事ができる。
【００１６】
【実施例】
以下、本発明の実施例について図面を用いて説明する。
【００１７】
（実施例１）
図１は本発明の実施例１の床暖房装置の構成図である。
【００１８】
図において１は電波による通信機能を持ち、従来の温水の湯温と流れの制御にその通信内容を反映させて温水の湯温と流れを制御できるガス給湯暖房機である。このガス給湯暖房機１には電波の送受信のためのアンテナ１ａがあり、また温水の配管として往き管２ａと戻り管２ｂが接続している。
【００１９】
３はガス給湯暖房機１の温水を利用して居住空間の暖房を行う床暖房パネルである。４は室内温度を検知する温度センサー４ａを持ち、居住者の暖房に対する要求を入力するスイッチ４ｃや、居住者への情報を表示する表示器４ｄや、ガス給湯暖房機１との電波による通信機能を持つ。
【００２０】
また、その電波の送受信を行うアンテナ４ｂを有し、温度センサー４ａやスイッチ４ｃの情報を用いて床暖房パネル３の温水の制御を、ガス給湯暖房機１との間で電波による通信機能を用いて行うことのできる、壁取り付け型の床暖房リモコンである。
【００２１】
次に動作，作用を説明すると、床暖房リモコン４は居住者の室温設定に対し温度センサー４ａの値が、低いときは床暖房パネル３の熱量を増加させる要求を、高いときは床暖房パネル３の熱量を減少させる要求をアンテナ４ｂより電波によってガス給湯暖房機１に通信し、ガス給湯暖房機１はその通信要求に従って床暖房パネル３の熱量を制御していくことで、室温の制御が適切に行われる。
【００２２】
（実施例２）
図２は本発明の実施例２の床暖房装置の構成図である。
【００２３】
実施例１との違いのみを説明する。６は床暖房リモコン４が着脱可能な床暖房リモコン４のリモコン取り付け器であり、４はこのリモコン取り付け器６との着脱を検知できる機能を付加され、リモコン取り付け器６から外された状態の床暖房リモコンである。
【００２４】
次に動作，作用を説明すると床暖房リモコン４をリモコン取り付け器６から取り外して居住者の手元で操作することが可能となり、ここでは床暖房リモコン４を居住者が床面に置いており、この部分の温度を温度センサー４ａが検知する事ができる。
【００２５】
このため直接居住者の足などの皮膚に触れる床面の温度制御をより正確に行えるため、居住者への快適性とやけどなどの事故防止に役立つ。このとき床暖房リモコン４は壁取り付け器６からの着脱を検出することで壁面での温度検出でないことを検出ができており、壁面温度との誤検知が防止されている。
【００２６】
（実施例３）
図３は本発明の実施例３の床暖房装置の構成図である。
【００２７】
実施例１，実施例２との違いのみを説明する。１６は床暖房リモコン４が着脱可能な床暖房リモコン４のリモコン取り付け器であり、室温検知用の固定温度センサー１６ａと床暖房リモコン４との無線通信機能として、ここでは電波を用いその送受信用にアンテナ１６ｂを持っている。床暖房リモコン４はアンテナ４ｂを用いてガス給湯暖房機１及びリモコン取り付け器１６と通信が可能である。
【００２８】
次に動作，作用を説明すると床暖房リモコン４はリモコン取り付け器１６から室温検知用の固定温度センサー１６ａのデータを入手し、温度センサー４ａのデータとあわせて居住区間の２カ所の温度情報からより、快適な床暖房パネルの熱量制御をガス給湯暖房機に要求することができる。
【００２９】
（実施例４）
図４は本発明の実施例４の床暖房機装置の構成図である。
【００３０】
実施例１，実施例２，実施例３との違いのみを説明する。床暖房リモコン４のリモコン取り付け器２６は電源制御器２６ｃを持ち、電源コード７によってＡＣ１００Ｖ電源コンセント８に接続されている。
【００３１】
床暖房リモコン４はリモコン取り付け器２６に取り付けられているときにはリモコン取り付け器２６の電源制御器２６ｃより電源供給され内部に蓄電する機能を付加されている。
【００３２】
次に動作，作用を説明すると、リモコン取り付け器２６は電源制御器２６ｃによって電源コード７をへてＡＣ１００Ｖ電源コンセント８より得た電力を利用し動作する、また床暖房リモコン４はリモコン取り付け器２６に取り付けられているときにはリモコン取り付け器２６の電源制御器２６ｃより電源供給され内部に蓄電することによって、リモコン取り付け器２６より取り外されたときの電源を確保する。
【００３３】
【発明の効果】
以上のように本発明によれば、信号線の役目を電波に置き換えることで信号線を廃止する事ができ、これにより床暖房リモコンを居住空間の壁面上の自由な位置に設置する事ができる。さらに温度センサーの位置も居住空間の壁面上の自由な位置に設置する事ができる。
【００３４】
また床暖房リモコンをリモコン取り付け器から取り外して居住者の手元で操作することが可能となる、さらに床暖房リモコンを居住者が床面または床面近傍の温度制御の必要な部分に置くことでこの部分の温度を温度センサーが検知する事ができ居住者が最適な温度制御を提供できる。
【００３５】
このとき床暖房リモコンはリモコン取り付け器からの着脱を検出することで壁面での温度検出かそれ以外の場所での温度かの検出ができ、壁面温度との誤検知を防止しより最適な温度制御を提供できる。
【００３６】
さらに床暖房リモコンをリモコン取り付け器から取り外したときには壁面の室温をリモコン取り付け器の固定温度センサーが測定しその情報を床暖房リモコンへ無線通信により通信することで床暖房リモコンは室温と床面あるいは床面近傍の温度の空間的に離れた二つの温度データを有することが可能となる。これにより、より極めの細かい温度制御を実現できる。
【００３７】
そして床暖房リモコンの電源が減少時や床暖房リモコンの不使用時に床暖房リモコンをリモコン取り付け器に取り付けておくことにより電源不足により床暖房リモコンが使用できないという状態をなくす事ができる。
【図面の簡単な説明】
【図１】  本発明の実施例１の床暖房装置の構成図
【図２】  本発明の実施例２の床暖房装置の構成図
【図３】  本発明の実施例３の床暖房装置の構成図
【図４】  本発明の実施例４の床暖房装置の構成図
【図５】  従来の床暖房装置の構成図
【符号の説明】
１  ガス給湯暖房機
２ａ  温水の往き配管
２ｂ  温水の戻り配管
３  床暖房パネル
４  床暖房リモコン
４ａ  温度センサー
４ｂ，６ｂ，１６ｂ，２６ｂ  アンテナ
５  信号線
６，１６，２６  （床暖房リモコンの）リモコン取り付け器
７  電源コード
８  電源コンセント
１６ａ，２６ａ  固定温度センサー
２６ｃ  電源制御器
【図１】
0003870504.tif 000002
【図２】
0003870504.tif 000003
【図３】
0003870504.tif 000004
【図４】
0003870504.tif 000005
【図５】
0003870504.tif 000006